(57)【要約】【課題】  映像データと組み合わせるべき音楽データの特徴を予め提示しておいて、その特徴に合わせて映像データの切り替えを行うデータ編集装置を提供する。【解決手段】  タイミング生成部２４０はフレーズデータ保持部３４０に保持されたフレーズデータに基づいて、先頭フレーズの開始タイミングおよび各フレーズの終了タイミングを生成する。映像制御部２７０は再生順序リスト保持部３５０に保持された再生順序に従って、映像データベース３１０に保持された映像データを順次読み出して出力する。。同期処理部２５０はタイミング生成部２４０から供給された先頭フレーズの開始タイミングに同期して、音楽データ保持部３３０に保持された音楽データを出力する。【選択図】      図１
2005175630.tif 000002
【特許請求の範囲】
【請求項１】
動画像データまたは静止画データを映像データとして保持する映像データベースと、
前記映像データの再生順序を示す再生順序リストを保持する再生順序リスト保持手段と、
前記映像データの再生の際に出力すべき音楽データに関連付けられるフレーズに関する情報としてのフレーズデータを保持するフレーズデータ保持手段と、
前記フレーズデータに基づいて各フレーズの区切りのタイミングを生成するタイミング生成手段と、
前記各フレーズの区切りのタイミング毎に前記再生順序リストに従って前記映像データベースから映像データを読み出して出力する映像制御手段と
を具備することを特徴とするデータ編集装置。
【請求項２】
前記タイミング生成手段は、一定の間隔で前記各フレーズの区切りのタイミングを生成することを特徴とする請求項１記載のデータ編集装置。
【請求項３】
前記一定の間隔は、拍数によって定義されることを特徴とする請求項２記載のデータ編集装置。
【請求項４】
前記タイミング生成手段は、前記フレーズデータに含まれる各フレーズのフレーズ長に従って前記各フレーズの区切りのタイミングを生成する
ことを特徴とする請求項１記載のデータ編集装置。
【請求項５】
前記フレーズ長は、前記音楽データにおける曲の先頭からの経過時刻によって定義されることを特徴とする請求項４記載のデータ編集装置。
【請求項６】
前記映像制御手段は、前記各フレーズの区切りのタイミング毎に異なる映像データを出力することを特徴とする請求項１記載のデータ編集装置。
【請求項７】
前記映像制御手段は、静止画データについては前記各フレーズの区切りのタイミングが１回発生すると次の映像データを出力するよう切り替え、動画像データについては前記各フレーズの区切りのタイミングが複数回発生すると次の映像データを出力するよう切り替えることを特徴とする請求項１記載のデータ編集装置。
【請求項８】
前記映像制御手段は、動画像データについては所定間隔毎に分割された各分割シーンを前記各フレーズの区切りのタイミング毎に切り替えながら出力することを特徴とする請求項１記載のデータ編集装置。
【請求項９】
前記映像制御手段から出力される映像データに対して施すべき映像効果を効果設定データとして保持する効果設定データ保持手段と、
前記効果設定データに基づいて前記映像制御手段から出力される映像データに処理を施す映像処理手段と
をさらに具備することを特徴とする請求項１記載のデータ編集装置。
【請求項１０】
前記効果設定データにおける映像効果は、前記各フレーズの区切りのタイミングの前後におけるぼかし処理であることを特徴とする請求項９記載のデータ編集装置。
【請求項１１】
前記効果設定データにおける映像効果は、静止画を擬似的に動画として表示する処理であることを特徴とする請求項９記載のデータ編集装置。
【請求項１２】
動画像データまたは静止画データを映像データとして保持する映像データベースと、
前記映像データの再生順序を示す再生順序リストを保持する再生順序リスト保持手段と、
前記映像データの再生の際に出力すべき音楽データを保持する音楽データ保持手段と、
前記音楽データに関連付けられるフレーズに関する情報としてのフレーズデータを保持するフレーズデータ保持手段と、
前記フレーズデータに基づいて前記音楽データに関連付けられる先頭フレーズの開始タイミングおよび各フレーズの終了タイミングを生成するタイミング生成手段と、
前記各フレーズの終了タイミング毎に前記再生順序リストに従って前記映像データベースから映像データを読み出して出力する映像制御手段と、
前記先頭フレーズの開始タイミングによって前記音楽データの出力を開始する同期処理手段と
を具備することを特徴とするデータ編集装置。
【請求項１３】
複数の音楽データおよびそれら音楽データに対応するフレーズデータを保持する音楽データベースと、
この音楽データベースに保持された前記複数の音楽データについてそれぞれの曲調を表示する曲調表示手段と、
前記曲調の表示がされた音楽データについて選択入力を受け付ける選曲受付手段と、
前記選択された音楽データおよびその音楽データに対応するフレーズデータを前記音楽データベースから読み出して前記音楽データ保持手段および前記フレーズデータ保持手段にそれぞれ保持させる選曲手段と
をさらに具備することを特徴とする請求項１２記載のデータ編集装置。
【請求項１４】
動画像データまたは静止画データを映像データとして保持する映像データベースと、前記映像データの再生順序を示す再生順序リストを保持する再生順序リスト保持手段と、前記映像データの再生の際に出力すべき音楽データに関連付けられるフレーズに関する情報としてのフレーズデータを保持するフレーズデータ保持手段とを備えるデータ編集装置において、
前記再生順序リストから次の映像データを特定する手順と、
特定された映像データを映像データベースから読み出す手順と、
前記フレーズデータに基づいて所定のフレーズの区切りのタイミングまで前記映像データを出力する手順と
を具備することを特徴とするデータ編集方法。
【請求項１５】
動画像データを映像データとして保持する映像データベースと、前記映像データの再生順序を示す再生順序リストを保持する再生順序リスト保持手段と、前記映像データの再生の際に出力すべき音楽データに関連付けられるフレーズに関する情報としてのフレーズデータを保持するフレーズデータ保持手段とを備えるデータ編集装置において、
前記再生順序リストから次の映像データを特定する手順と、
特定された映像データを映像データベースから読み出す手順と、
前記映像データの所定間隔毎に分割された各分割シーンを前記フレーズデータに基づいて所定のフレーズの区切りのタイミング毎に切り替えながら出力する手順と
を具備することを特徴とするデータ編集方法。
【請求項１６】
動画像データまたは静止画データを映像データとして保持する映像データベースと、前記映像データの再生順序を示す再生順序リストを保持する再生順序リスト保持手段と、前記映像データの再生の際に出力すべき音楽データに関連付けられるフレーズに関する情報としてのフレーズデータを保持するフレーズデータ保持手段とを備えるデータ編集装置において、
前記再生順序リストから次の映像データを特定する手順と、
特定された映像データを映像データベースから読み出す手順と、
前記フレーズデータに基づいて所定のフレーズの区切りのタイミングまで前記映像データを出力する手順と
をコンピュータに実行させることを特徴とするプログラム。
【請求項１７】
動画像データを映像データとして保持する映像データベースと、前記映像データの再生順序を示す再生順序リストを保持する再生順序リスト保持手段と、前記映像データの再生の際に出力すべき音楽データに関連付けられるフレーズに関する情報としてのフレーズデータを保持するフレーズデータ保持手段とを備えるデータ編集装置において、
前記再生順序リストから次の映像データを特定する手順と、
特定された映像データを映像データベースから読み出す手順と、
前記映像データの所定間隔毎に分割された各分割シーンを前記フレーズデータに基づいて所定のフレーズの区切りのタイミング毎に切り替えながら出力する手順と
をコンピュータに実行させることを特徴とするプログラム。
【発明の詳細な説明】
【技術分野】
【０００１】
本発明は、データ編集装置およびデータ編集方法に関し、特に映像データを音楽データと合わせて表示するよう編集するデータ編集装置およびデータ編集方法ならびに当該方法をコンピュータに実行させるプログラムに関する。
【背景技術】
【０００２】
デジタル技術の発達に伴い、いわゆるデジタルカメラや携帯機器等によって静止画や動画像を手軽に撮像できるようになった。これら撮像された静止画および動画像は、それぞれ静止画データおよび動画像データとして、記録媒体に記録されていく。
【０００３】
このようにして蓄積された静止画データおよび動画像データ（両者を合わせて「映像データ」という。）は、しばしばマルチメディアコンテンツの素材として利用される。その際、単にこれら映像データをつなげていくだけでなく、コンテンツとしての完成度をより高めるためには、別途用意された音楽データを背景音として組み合わせることが効果的である。
【０００４】
しかしながら、このような映像データと音楽データとが組み合わさったコンテンツを作成することは熟練した技術を要するため、一般のユーザにとっては障壁が高いものであった。従って、映像データを手軽に撮像できる環境がありながら、これら映像データを利用する段階では必ずしも十分な活用が図られていなかった。
【０００５】
そこで、従来、音楽データに含まれている特徴点を、動画像データの切り替え基準点として設定し、その切り替え基準点毎に動画像を切り換える技術が提案されている（例えば、特許文献１参照。）。
【特許文献１】特開平１１−６９２９０号公報（図１）
【発明の開示】
【発明が解決しようとする課題】
【０００６】
上述の従来技術では、音楽データの音楽波形に含まれる音量分布や周波数分布を分析することにより特徴点を見出して、その特徴点を動画像データの切り替え基準点として用いている。
【０００７】
しかしながら、そのように音楽データから直接得られる特徴点は一般ユーザにとって直感的に把握し難いものであり、実際にコンテンツを作成してからでないと、最終的にどのような映像効果が得られるか予測することが難しい。一般ユーザは、自己の感性に合致したコンテンツが作成されることを期待するものであり、作成されたコンテンツに不満な場合にはさらに微調整を行うことを望むこともある。
【０００８】
そこで、本発明は、映像データと組み合わせるべき音楽データの特徴を予め提示して、さらにその特徴に対して微調整を加えることを可能とするデータ編集装置を提供することを目的とする。
【課題を解決するための手段】
【０００９】
上記課題を解決するために本発明の請求項１記載のデータ編集装置は、動画像データまたは静止画データを映像データとして保持する映像データベースと、上記映像データの再生順序を示す再生順序リストを保持する再生順序リスト保持手段と、上記映像データの再生の際に出力すべき音楽データに関連付けられるフレーズに関する情報としてのフレーズデータを保持するフレーズデータ保持手段と、上記フレーズデータに基づいて各フレーズの区切りのタイミングを生成するタイミング生成手段と、上記各フレーズの区切りのタイミング毎に上記再生順序リストに従って上記映像データベースから映像データを読み出して出力する映像制御手段とを具備する。これにより、映像データと組み合わせるべき音楽データの特徴を示すフレーズデータに基づいて各フレーズの区切りのタイミングを生成し、そのタイミングにより映像データの切り替えを行うという作用をもたらす。
【００１０】
また、本発明の請求項２記載のデータ編集装置は、請求項１記載のデータ編集装置において、上記タイミング生成手段が、一定の間隔で上記各フレーズの区切りのタイミングを生成するものである。これにより、フレーズの長さが均一なスタティックな曲に対してタイミングを生成するという作用をもたらす。
【００１１】
また、本発明の請求項３記載のデータ編集装置は、請求項２記載のデータ編集装置において、上記一定の間隔が拍数によって定義されるものである。これにより、フレーズの長さを客観的に把握させるという作用をもたらす。
【００１２】
また、本発明の請求項４記載のデータ編集装置は、請求項１記載のデータ編集装置において、上記タイミング生成手段が、上記フレーズデータに含まれる各フレーズのフレーズ長に従って上記各フレーズの区切りのタイミングを生成するものである。これにより、フレーズの長さが均一でないルバートな曲に対してタイミングを生成するという作用をもたらす。
【００１３】
また、本発明の請求項５記載のデータ編集装置は、請求項４記載のデータ編集装置において、上記フレーズ長が上記音楽データにおける曲の先頭からの経過時刻によって定義されるものである。これにより、フレーズの長さを任意の値に設定させるとともに、曲の途中で生じたタイミングのずれを速やかに修正させるという作用をもたらす。
【００１４】
また、本発明の請求項６記載のデータ編集装置は、請求項１記載のデータ編集装置において、上記映像制御手段が、上記各フレーズの区切りのタイミング毎に異なる映像データを出力するものである。これにより、音楽データにおけるフレーズの区切りに同期して映像データを出力するという作用をもたらす。
【００１５】
また、本発明の請求項７記載のデータ編集装置は、請求項１記載のデータ編集装置において、上記映像制御手段が、静止画データについては上記各フレーズの区切りのタイミングが１回発生すると次の映像データを出力するよう切り替え、動画像データについては上記各フレーズの区切りのタイミングが複数回発生すると次の映像データを出力するよう切り替えるものである。これにより、動画と静止画の表示比率を任意に設定させるという作用をもたらす。
【００１６】
また、本発明の請求項８記載のデータ編集装置は、請求項１記載のデータ編集装置において、上記映像制御手段が、動画像データについては所定間隔毎に分割された各分割シーンを上記各フレーズの区切りのタイミング毎に切り替えながら出力するものである。これにより、いわゆるザッピング表示を実現するという作用をもたらす。
【００１７】
また、本発明の請求項９記載のデータ編集装置は、請求項１記載のデータ編集装置において、上記映像制御手段から出力される映像データに対して施すべき映像効果を効果設定データとして保持する効果設定データ保持手段と、上記効果設定データに基づいて上記映像制御手段から出力される映像データに処理を施す映像処理手段とをさらに具備する。これにより、完成度の高いデータ編集を実現するという作用をもたらす。
【００１８】
また、本発明の請求項１０記載のデータ編集装置は、請求項９記載のデータ編集装置において、上記効果設定データにおける映像効果が、上記各フレーズの区切りのタイミングの前後におけるぼかし処理である。これにより、ぼかし処理によってより自然なシーチェンジを実現するという作用をもたらす。
【００１９】
また、本発明の請求項１１記載のデータ編集装置は、請求項９記載のデータ編集装置において、上記効果設定データにおける映像効果が、静止画を擬似的に動画として表示する処理である。これにより、静止画をあたかも動画のように表示するという作用をもたらす。
【００２０】
また、本発明の請求項１２記載のデータ編集装置は、動画像データまたは静止画データを映像データとして保持する映像データベースと、上記映像データの再生順序を示す再生順序リストを保持する再生順序リスト保持手段と、上記映像データの再生の際に出力すべき音楽データを保持する音楽データ保持手段と、上記音楽データに関連付けられるフレーズに関する情報としてのフレーズデータを保持するフレーズデータ保持手段と、上記フレーズデータに基づいて上記音楽データに関連付けられる先頭フレーズの開始タイミングおよび各フレーズの終了タイミングを生成するタイミング生成手段と、上記各フレーズの終了タイミング毎に上記再生順序リストに従って上記映像データベースから映像データを読み出して出力する映像制御手段と、上記先頭フレーズの開始タイミングによって上記音楽データの出力を開始する同期処理手段とを具備する。これにより、映像データと組み合わせるべき音楽データの特徴を示すフレーズデータに基づいて、音楽データと同期をとりながら映像データの切り替えを行うという作用をもたらす。
【００２１】
また、本発明の請求項１３記載のデータ編集装置は、請求項１２記載のデータ編集装置において、複数の音楽データおよびそれら音楽データに対応するフレーズデータを保持する音楽データベースと、この音楽データベースに保持された上記複数の音楽データについてそれぞれの曲調を表示する曲調表示手段と、上記曲調の表示がされた音楽データについて選択入力を受け付ける選曲受付手段と、上記選択された音楽データおよびその音楽データに対応するフレーズデータを上記音楽データベースから読み出して上記音楽データ保持手段および上記フレーズデータ保持手段にそれぞれ保持させる選曲手段とをさらに具備する。これにより、映像データと組み合わせるべき音楽データの特徴を予め提示しておいて、その特徴に合わせて映像データの切り替えを行うという作用をもたらす。
【００２２】
また、本発明の請求項１４記載のデータ編集方法は、動画像データまたは静止画データを映像データとして保持する映像データベースと、上記映像データの再生順序を示す再生順序リストを保持する再生順序リスト保持手段と、上記映像データの再生の際に出力すべき音楽データに関連付けられるフレーズに関する情報としてのフレーズデータを保持するフレーズデータ保持手段とを備えるデータ編集装置において、上記再生順序リストから次の映像データを特定する手順と、特定された映像データを映像データベースから読み出す手順と、上記フレーズデータに基づいて所定のフレーズの区切りのタイミングまで上記映像データを出力する手順とを具備する。これにより、映像データと組み合わせるべき音楽データの特徴を示すフレーズデータに基づいて各フレーズの区切りのタイミングを生成し、そのタイミングにより映像データの切り替えを行うという作用をもたらす。
【００２３】
また、本発明の請求項１５記載のデータ編集方法は、動画像データを映像データとして保持する映像データベースと、上記映像データの再生順序を示す再生順序リストを保持する再生順序リスト保持手段と、上記映像データの再生の際に出力すべき音楽データに関連付けられるフレーズに関する情報としてのフレーズデータを保持するフレーズデータ保持手段とを備えるデータ編集装置において、上記再生順序リストから次の映像データを特定する手順と、特定された映像データを映像データベースから読み出す手順と、上記映像データの所定間隔毎に分割された各分割シーンを上記フレーズデータに基づいて所定のフレーズの区切りのタイミング毎に切り替えながら出力する手順とを具備する。これにより、いわゆるザッピング表示を実現するという作用をもたらす。
【００２４】
また、本発明の請求項１６記載のプログラムは、動画像データまたは静止画データを映像データとして保持する映像データベースと、上記映像データの再生順序を示す再生順序リストを保持する再生順序リスト保持手段と、上記映像データの再生の際に出力すべき音楽データに関連付けられるフレーズに関する情報としてのフレーズデータを保持するフレーズデータ保持手段とを備えるデータ編集装置において、上記再生順序リストから次の映像データを特定する手順と、特定された映像データを映像データベースから読み出す手順と、上記フレーズデータに基づいて所定のフレーズの区切りのタイミングまで上記映像データを出力する手順とをコンピュータに実行させるものである。これにより、映像データと組み合わせるべき音楽データの特徴を示すフレーズデータに基づいて各フレーズの区切りのタイミングを生成し、そのタイミングにより映像データの切り替えを行うという作用をもたらす。
【００２５】
また、本発明の請求項１７記載のプログラムは、動画像データを映像データとして保持する映像データベースと、上記映像データの再生順序を示す再生順序リストを保持する再生順序リスト保持手段と、上記映像データの再生の際に出力すべき音楽データに関連付けられるフレーズに関する情報としてのフレーズデータを保持するフレーズデータ保持手段とを備えるデータ編集装置において、上記再生順序リストから次の映像データを特定する手順と、特定された映像データを映像データベースから読み出す手順と、上記映像データの所定間隔毎に分割された各分割シーンを上記フレーズデータに基づいて所定のフレーズの区切りのタイミング毎に切り替えながら出力する手順とをコンピュータに実行させるものである。これにより、いわゆるザッピング表示を実現するという作用をもたらす。
【発明の効果】
【００２６】
本発明によれば、映像データと組み合わせるべき音楽データの特徴を予め提示しておいて、その特徴に合わせて映像データの切り替えを行うデータ編集装置を提供するという優れた効果を奏し得る。
【発明を実施するための最良の形態】
【００２７】
次に本発明の実施の形態について図面を参照して詳細に説明する。
【００２８】
図１は、本発明の実施の形態におけるデータ編集装置の機能構成の一例を示す図である。この機能構成例では、映像データを保持する映像データベース３１０と、映像データと組み合わせる対象となる音楽データおよびその音楽データに関連付けられるフレーズデータを保持する音楽データベース３２０と、音楽データを保持する音楽データ保持部３３０と、フレーズデータを保持するフレーズデータ保持部３４０と、映像データの再生順序を保持する再生順序リスト保持部３５０と、映像効果の設定データを保持する効果設定データ保持部３６０とが設けられる。
【００２９】
映像データベース３１０には、映像データとしてこれまで蓄積されてきた静止画データおよび動画データが保持される。各映像データには映像ファイル名が付され、この映像ファイル名によってそれぞれの映像データが識別される。また、各映像データは、撮像情報として、撮像日時やデータ形式、ファイルサイズなどを備えることができる。この映像データの形式は、特に限定されるものではないが、例えば動画であればＡＶＩ（Audio Video Interleaving）形式やＭＯＶ形式のファイルを、静止画であればＪＰＥＧ（Joint Photographic Experts Group）形式やＧＩＦ（Graphic Interchange Format）形式のファイルをそれぞれ利用することができる。また、ワードプロセッサやプレゼンテーションソフトなどにより表示される画像を映像データとして用いてもよい。
【００３０】
音楽データベース３２０に保持される音楽データの形式は、特に限定されるものではないが、例えばＷＡＶＥ形式やＡＩＦＦ（Audio Interchange File Format）形式のファイルを利用することができる。これら各音楽データには、それぞれの音楽データに対応するフレーズデータが予め用意される。フレーズデータの具体的な内容については後述するが、対応する音楽データの曲の全体の長さ、平均テンポ、フレーズ（楽想）の長さ等の特徴を保持する。
【００３１】
また、図１の機能構成例は、曲調表示部２１０と、選曲受付部２２０と、選曲部２３０と、タイミング生成部２４０と、同期処理部２５０と、音楽出力部２６０と、映像制御部２７０と、映像処理部２８０と、映像出力部２９０とを備えている。
【００３２】
曲調表示部２１０は、音楽データベース３２０に保持されている各音楽データの曲調をユーザに対して表示する。ここにいう曲調とは、例えば、曲の進行速度や各フレーズの長さといった曲の示す全体的傾向を示すものである。曲調表示部２１０は、このような曲調を、例えばグラフ上の分布図などによって視覚的に提示する。
【００３３】
これに対して、ユーザは、提示された曲の中から映像データと組み合わせるべき曲を選んで入力する。選曲受付部２２０は、このユーザからの選曲入力を受け付けて選曲部２３０にその選曲入力の内容を伝える。選曲部２３０は、この選曲入力に従って、音楽データベース３２０の中から音楽データおよびその音楽データに対応するフレーズデータを読み出して、それぞれ音楽データ保持部３３０およびフレーズデータ保持部３４０に保持させる。
【００３４】
タイミング生成部２４０は、フレーズデータ保持部３４０に保持されたフレーズデータに従って、先頭フレーズの開始タイミングおよび各フレーズの終了タイミングを生成して、同期処理部２５０および映像制御部２７０に供給する。後述するように、このフレーズデータに定義されるフレーズ長は時間的に均一な値でもよく、それぞれ変動するような値であってもよい。タイミング生成部２４０は計時機能を有して、各フレーズ長を計時しながら各フレーズの終了タイミングを知らせる。
【００３５】
同期処理部２５０は、タイミング生成部２４０から供給された先頭フレーズの開始タイミングに同期して、音楽データ保持部３３０に保持された音楽データの音楽出力部２６０への供給を開始する。音楽出力部２６０は、この供給された音楽データを人間に可聴な音楽として出力する。この音楽出力部２６０としては、例えば、スピーカ等を用いることができる。
【００３６】
映像制御部２７０は、再生順序リスト保持部３５０に保持された再生順序に従って、映像データベース３１０に保持された映像データを順次読み出して、映像処理部２８０に供給する。この映像制御部２７０は、タイミング生成部２４０から先頭フレーズの開始タイミングおよび各フレーズの終了タイミングを受け取り、各フレーズ毎に映像データが切り替わるように制御する。また、フレーズデータ保持部３４０に保持されたフレーズデータにおいて、後述するように静止画と動画との表示比率が指定されている場合には、映像制御部２７０はこれに合致するように映像データの切替えを制御する。
【００３７】
映像処理部２８０は、効果設定データ保持部３６０に保持された映像効果の設定データに従って、映像制御部２７０から供給された映像データに対して映像効果を施す。ここで、映像効果とは、映像データの切替えの途中段階（トランジション）におけるフェードイン／フェードアウトやディゾルブ等のぼかし効果、静止画の大きさを変えるズーミングや静止画を左右方向（パン）または上下方向（チルト）に振る等の擬似的動画効果などを意味する。このような映像効果によって、映像データの切替え表示を自然に見えるようにし、また、静止画をあたかも動画のように表示することができる。
【００３８】
映像出力部２９０は、映像処理部２８０により映像効果の施された映像データを人間の視覚により把握可能な映像として出力する。この映像出力部２９０としては、例えば、ＬＣＤ（Liquid Crystal Display）等のディスプレイを用いることができる。
【００３９】
図２は、本発明の実施の形態における再生順序リスト保持部３５０に保持される再生順序リストの構成例を示す図である。再生順序リストは、再生順序３５１と、映像ファイル名３５２と、動画／静止画種別３５３と、ザッピング有無３５４とを保持する。
【００４０】
再生順序３５１は、対応する映像データの再生順序を示すものである。映像制御部２７０はこの再生順序３５１に従って映像データを再生する。映像ファイル名３５２は、対応するデータを識別するための名称である。映像制御部２７０はこの映像ファイル名３５２を使用して、映像データベース３１０から映像データを読み出す。
【００４１】
動画／静止画種別３５３は、対応する映像データの種別が動画であるのか、または、静止画であるのかを示す。映像制御部２７０はこの動画／静止画種別３５３を参照することにより、再生方法を切り替えることができる。
【００４２】
ザッピング有無３５４は、対応する動画／静止画種別３５３が動画である場合において、その動画データを再生する際にザッピング処理を行うか否かを示す。ここで、ザッピング処理とは、動画データの内容を先頭から全て再生するのではなく、動画データの一部分を適宜抜粋して再生することを意味する。このザッピング処理を行う場合の具体的制御手順については後述する。
【００４３】
図３は、本発明の実施の形態における音楽データおよび映像データの再生タイミングを示す図である。本発明の実施の形態では、曲のタイプをスタティック（static）とルバート（rubato）とに大別する。スタティックとは、曲全体が一定のテンポを保つものをいう。従って、スタティックな曲においては、各フレーズは均一な時間を有することになる。一方、ルバートとは、曲の途中でテンポが揺れるものをいう。従って、ルバートな曲においては、各フレーズの長さは均一にならない。
【００４４】
図３（ａ）は、スタティックな曲に対する再生タイミングを示す。この図３（ａ）においては、音楽データの各フレーズは均一であり、この均一なフレーズの区切りに合わせて映像データのシーンが切り替わるようになっている。図３（ｂ）は、ルバートな曲に対する再生タイミングを示す。この図３（ｂ）においては、音楽データの各フレーズは均一でなく、このフレーズの区切りに合わせて映像データのシーンが切り替わるようになっている。
【００４５】
このような再生タイミングは、タイミング生成部２４０から供給されるタイミング信号に基づいて、同期処理部２５０および映像制御部２７０において同期ないし切替え処理が行われることにより実現される。すなわち、まずタイミング生成部２４０から供給される先頭フレーズの開始タイミングに従って、音楽データおよび映像データが同時に再生されるよう制御される。そして、タイミング生成部２４０から供給される各フレーズの終了タイミングに合わせて、映像データが順次再生されるよう制御される。
【００４６】
図４は、本発明の実施の形態におけるフレーズデータ保持部３４０に保持されるフレーズデータの構成例を示す図である。このフレーズデータは、フレーズファイル名５１１と、作成日５１２と、音楽ファイル名５１３と、平均テンポ５１４と、平均フレーズ長５１５と、全長５１６と、タイプ５１７と、動画／静止画比率５１８と、タイプ別属性５１９とを保持する。
【００４７】
フレーズファイル名５１１は、そのフレーズデータを格納するファイル名を示す。作成日５１２は、そのフレーズデータの作成日を示す。音楽ファイル名５１３は、そのフレーズデータに対応する音楽データのファイル名を示す。
【００４８】
平均テンポ５１４は、対応する音楽データの１分間当りの拍数を示す。この例に示す「１２０［拍／分］」では、一拍が０．５秒の長さであり、例えば基準となる音符を４分音符とすると、１分間に４分音符が１２０入ることになる。この数が多い程テンポは速くなり、少ない程テンポは遅くなる。
【００４９】
平均フレーズ長５１５は、対応する音楽データにおけるフレーズの時間的長さの平均値を示す。全長５１６は、対応する音楽データの全体の時間的長さを示す。これら平均フレーズ長５１５および全長５１６は、この例ではともに分および秒単位で示されている。
【００５０】
タイプ５１７は、対応する音楽データに関する曲のタイプが上述のスタティックまたはルバートの何れに該当するものであるかを示す。このタイプ５１７によって後述のようにタイプ別属性５１９の記載形式が決定される。
【００５１】
動画／静止画比率５１８は、静止画の表示時間を基準とした場合の動画の表示時間の比率を示す。例えば、この動画／静止画比率５１８が「１」を示している場合、静止画を１フレーズ毎に切り替え、動画も１フレーズ毎に切り替えることになる。一方、この動画／静止画比率５１８が「２」を示している場合、静止画を１フレーズ毎に切り替え、動画は２フレーズ毎に切り替えることになる。
【００５２】
図５は、本発明の実施の形態におけるフレーズデータ内のタイプ別属性５１９の構成例を示す図である。このタイプ別属性５１９は、タイプ５１７によって記載形式が決定される。
【００５３】
図５（ａ）は、タイプ５１７が「スタティック」である場合のタイプ別属性５１９の構成例である。この場合、タイプ別属性５１９には、最高速５２１、高速５２２、標準速５２３、低速５２４、最低速５２５のそれぞれに対して、フレーズの拍数が規定される。この図５（ａ）の例の場合、平均テンポ５１４が「１２０」であって標準速５２３が指定されているのであれば、（６０／１２０）×１６＝８秒毎にフレーズが切り替わることを意味する。これら最高速５２１から最低速５２５までの５段階の速度指定は、ユーザによって入力することが可能である。ユーザから特に指定がない場合には、標準速の値を採用するようにすることができる。
【００５４】
図５（ｂ）は、タイプ５１７が「ルバート」である場合のタイプ別属性５１９の構成例である。この場合、タイプ別属性５１９には、フレーズ数５３１および先頭相対終了位置５３２が規定される。この図５（ｂ）の例の場合、フレーズの数が全部で４０個あり、各フレーズの曲の先頭からの相対的な終了位置が時間（分、秒、百分の一秒）を単位として４０個分保持されている。なお、最終フレーズの終了位置は、全長５１６と一致することになる。
【００５５】
図６は、本発明の実施の形態におけるフレーズデータのＸＭＬ（eXtensible Markup Language）による記述例を示す図である。「<MandatoryAttributes>」と「</MandatoryAttributes>」との間に囲まれた部分が図４のフレーズファイル名５１１から動画／静止画比率５１８までに対応する記述である。これらのデータは全てそれぞれの開始タグと終了タグとの間に挟まれている。
【００５６】
一方、タイプ別属性５１９は、「<OptionAttribute>」と「</OptionAttribute>」との間に囲まれた部分に記述される。タイプ５１７が「スタティック」である場合には「<Static>」と「</Static>」との間に必要な記述がなされ、タイプ５１７が「ルバート」である場合には「<Rubato>」と「</ Rubato>」との間に必要な記述がなされる。
【００５７】
なお、ここでは、フレーズデータの具体的記述例としてＸＭＬによる例を示したが、これに限定されるものでなく、他のタグ形式やバイナリ形式などにより実現してもよいことはいうまでもない。
【００５８】
図７は、本発明の実施の形態におけるデータ編集装置の一実現例としての携帯機器１００の構成を示す図である。この携帯機器１００は、カメラ部１０と、記録再生処理部２０と、制御部３０とを備えている。
【００５９】
カメラ部１０は、光学ブロック１１と、カメラ制御部１２と、信号変換器１３と、撮像信号処理部１４と、音声入力部１５と、音声信号処理部１６とを備える。光学ブロック１１は、内部に、被写体を撮像するためのレンズ群、絞り調整機構、フォーカス調整機構、ズーム機構、シャッター機構、フラッシュ機構、および、手ぶれ補正機構などを備える。カメラ制御部１２は、制御部３０から制御信号を受けて、光学ブロック１１に供給する制御信号を生成する。そして、生成した制御信号を光学ブロック１１に供給して、ズーム制御、シャッター制御、および、露出制御などの制御を行なう。
【００６０】
信号変換器１３は、例えばＣＣＤ（Charge Coupled Device）などの撮像素子により構成され、その結像面に、光学ブロック１１を通じた像が結像される。この信号変換器１３は、シャッター操作に応じて制御部３０から供給される画像取り込みタイミング信号を受けて、結像面に結像されている被写体像を撮像信号に変換し、撮像信号処理部１４に供給する。
【００６１】
撮像信号処理部１４は、制御部３０からの制御信号に基づいて、撮像信号についてのガンマ補正やＡＧＣ（Auto Gain Control）などの処理を行なうとともに、撮像信号をデジタル信号としての画像信号に変換する処理も行なう。音声入力部１５は、撮影時の被写体周辺の音声を収集する。この音声入力部１５からの音声信号は音声信号処理部１６に供給される。音声信号処理部１６は、制御部３０からの制御信号に基づいて、音声信号についての補正やＡＧＣなどの処理を行なうとともに、音声信号をデジタル信号に変換する処理も行なう。
【００６２】
記録再生処理部２０は、符号化／復号回路２１と、記録媒体インターフェース２３と、バッファメモリ２５とを備える。
【００６３】
符号化／復号回路２１は、カメラ部１０からの画像信号および音声信号や追加記録情報を符号化し多重化して圧縮データに変換する符号化機能を有する。一方、符号化／復号回路２１は、圧縮データから画像信号および音声信号を分離して復号する復号機能を有する。また、符号化／復号回路２１は、制御部３０からの制御信号に基づき、撮像信号処理部１４からの画像信号に対して、自動ホワイトバランス制御、露出補正制御、デジタルズーム倍率に応じた拡大制御などをさらに行なう。
【００６４】
記録媒体インターフェース２３は、符号化／復号回路２１から圧縮データを受けて記録媒体４９に書き込む。また、記録媒体インターフェース２３は、記録媒体４９から圧縮データを読み出して符号化／復号回路２１に供給する。バッファメモリ２５は、例えばＳＤＲＡＭなどにより構成され、符号化／復号回路２１における符号化または復号のための作業領域として利用される。
【００６５】
制御部３０は、処理装置３１と、ＲＯＭ（Read Only Memory）３３と、ＲＡＭ（Random Access Memory）３４と、操作入力部４１を接続するための操作入力インターフェース３５と、表示部４２を接続するための表示制御部３６と、操作入力部４１を接続するための操作入力インターフェース３５と、音声出力部４３を接続するための音声出力インターフェース３７と、撮影時刻を記録するとともに時間を計測するための計時回路３９とがシステムバス３２を介して接続されることにより構成される。
【００６６】
処理装置３１は制御部３０全体の処理を司るものであり、作業領域としてＲＡＭ３４を使用する。ＲＯＭ３３には、カメラ部１０を制御するためのプログラムや、画像信号や音声信号の記録制御および再生制御などを実行するためのプログラムが書き込まれている。
【００６７】
操作入力インターフェース３５に接続される操作入力部４１には、撮影モードと再生モードなどの他のモードとを切り換えるモード切り換えキー、ズーム調整キー、露出調整のためのキー、シャッターキー、動画撮影用キー、表示部４２における選択指示キーなどの複数のキーが設けられている。操作入力インターフェース３５は、操作入力部４１からの操作信号を処理装置３１に伝える。処理装置３１は、操作入力部４１においていずれのキーが操作されたかを判別し、その判別結果に応じた制御処理を行なう。
【００６８】
表示制御部３６に接続される表示部４２は、例えばＬＣＤなどにより構成され、処理装置３１の制御の下に、カメラ部１０からの画像信号や、記録媒体４９から読み出された画像信号などを表示する。
【００６９】
音声出力インターフェース３７は、符号化／復号回路２１からの音声データを音声出力部４３に供給する。音声出力部４３は、例えばスピーカなどにより構成され、音声出力インターフェース３７から供給された音声を出力する。計時回路３９は、年、月、日、時間、分、秒などを表わす時間情報を生成する。
【００７０】
このような携帯機器１００において、図１の映像データベース３１０や音楽データベース３２０は、記録媒体４９に保持することができる。また、音楽データ保持部３３０、フレーズデータ保持部３４０、再生順序リスト保持部３５０、および、効果設定データ保持部３６０として、ＲＡＭ３４を使用することができる。そして、曲調表示部２１０、選曲受付部２２０、選曲部２３０、タイミング生成部２４０、同期処理部２５０、映像制御部２７０、および、映像処理部２８０の機能を処理装置３１により実現することができる。さらに、音楽出力部２６０として音声出力部４３を、映像出力部２９０として表示部４２をそれぞれ使用することができる。
【００７１】
なお、ここでは、本発明の実施の形態におけるデータ編集装置の一実現例として携帯機器１００の構成を説明したが、本発明はこれに限定されるものではない。例えば、撮像された映像データを記録媒体４９に記録して、この記録媒体４９を別の情報処理装置に装着することにより、その情報処理装置上で図１の機能を実現するようにしてもよいことはいうまでもない。
【００７２】
図８は、本発明の実施の形態におけるザッピング処理による再生イメージを示す図である。この例では、元となる動画において６０秒ずつに分割された分割シーンの各先頭からシーンを再生する。それぞれのシーンの再生時間は、対応するフレーズの長さと一致する。例えば、フレーズ＃１に相当する期間にはシーン＃１が再生され、フレーズ＃２に相当する期間にはシーン＃２が再生され、さらにフレーズ＃３に相当する期間にはシーン＃３が再生される。以下、同様にフレーズが切り替わる度にシーンも切り替わるよう制御される。従って、６０秒間の分割シーンにおいて対応するフレーズ長を超えた部分については再生されず削除される。
【００７３】
ザッピング処理された編集後の終了位置は、以下のように定めることができる。例えば、元動画の全長が９０秒以下であれば、一つ目のシーン＃１だけを再生して終了する。また、元動画の全長が９０秒を超えて１５０秒以下であれば、２つのシーン＃１およびシーン＃２を再生して終了する。さらに、元動画の全長が１５０秒を超えて２１０秒以下であれば、３つのシーン＃１乃至シーン＃３を再生して終了する。以下、同様に全長が６０秒増える毎にシーンが一つずつ追加されていく。
【００７４】
このような映像制御部２７０におけるザッピング処理により、動画データのダイジェスト版が作成される。このザッピング処理は、再生時間の長い動画データの全体を見渡す場合に特に有用である。また、動画／静止画比率５１８（図４）として「１」よりも大きな値を指定して、他の静止画と混在して再生する際にも、動画データ内の複数のシーンを表示することができるので、よりバリエーションに富んだ再生が可能となる。
【００７５】
図９は本発明の実施の形態におけるデータ編集の初期設定画面の一例を示す図である。この画面例では、プレビュー画面６１１と、プレビュー指定ボタン６１２と、再生間隔ボタン６１３と、サウンド設定ボタン６１４と、効果設定ボタン６１５と、音量設定ボタン６１６および６１７と、スライドショー開始ボタン６１８と、終了ボタン６１９とが表示されている。
【００７６】
プレビュー画面６１１は、映像データを視聴するための表示領域である。プレビュー指定ボタン６１２を操作することにより、プレビュー画面６１１に表示される映像データを切り替えることができる。
【００７７】
再生間隔ボタン６１３は、タイプ５１７が「スタティック」である場合に、タイプ別属性５１９においてフレーズの長さを決める最高速５２１乃至最低速５２５の何れを選択するかを指定するためのものである。タイプ５１７が「ルバート」である場合には、この再生間隔ボタン６１３を無効にしてもよいが、他の例として、再生間隔を広げるために複数のフレーズをまとめて一つのフレーズとして扱うよう指示するためのボタンとして利用することも考えられる。
【００７８】
サウンド設定ボタン６１４は、サウンド設定を行うためのボタンである。このサウンド設定については図１０により後述する。
【００７９】
効果設定ボタン６１５は、映像効果を設定するためのボタンである。この映像効果は、前述のように映像データの切替えの途中段階におけるぼかし効果や静止画の擬似的動画効果をいう。ユーザはこの効果設定ボタン６１５を押下することによってこれら映像効果の設定を行う。
【００８０】
音量設定ボタン６１６および６１７は、背景音楽や動画音声の音量を設定するためのボタンである。ユーザはこの音量設定ボタン６１６を押下することによって音量の増減または消音を指定できる。また、ユーザはこの音量設定ボタン６１７を利用することによって直接所望の音量となるよう設定することができる。
【００８１】
スライドショー開始ボタン６１８は、スライドショーを開始するためのボタンであり、上述の各種設定を完了した後でユーザがこのスライドショー開始ボタン６１８を押下することによりスライドショーを開始することができる。また、終了ボタン６１９は、この設定画面を終了するためのボタンである。
【００８２】
図１０は本発明の実施の形態におけるサウンド設定のための設定画面の一例を示す図である。このサウンド設定画面は、図９のサウンド設定ボタン６１４を押下することにより表示される。この画面例は、音声の再生設定を行う領域６２０と、選曲入力を行う領域６３０とに分かれている。
【００８３】
再生設定領域６２０には、背景音楽（ＢＧＭ：BackGroud Music）を設定する領域６２１と、動画音声を設定する領域６２３とが表示されている。背景音楽設定領域６２１には、背景音楽を出力するかしないかを選択するラジオボタンが表示されている。ユーザが「オン」ボタンを選択した場合には、さらに背景音楽を表示する領域６２２が有効となる。この背景音楽は、選曲入力領域６３０において選曲される。動画音声設定領域６２３には、動画データに含まれる音声を出力するかしないかを選択するラジオボタンが表示されている。
【００８４】
選曲入力領域６３０には、曲リストの表示領域６３１と、曲の特徴マップの表示領域６３２と、視聴ボタン６３３とが表示されている。曲リスト表示領域６３１には、現在使用可能である全ての曲が表形式で表示される。特徴マップ表示領域６３２には、各曲のテンポおよび再生間隔の二軸のマップが表示される。マップ上の各点が一つの曲を示す。このマップ表示によって、ユーザはそれぞれの曲の特徴およびシーンチェンジの頻度を直感的に把握することができる。
【００８５】
特徴マップ表示領域６３２におけるマップ上の点をクリックすることにより、曲リスト表示領域６３１に曲名が表示される。この際、曲リスト表示領域６３１における配置の順序は、クリックされた曲と特徴が近いものから順に表示される。特徴の近さが同じ距離にある曲同士については、作曲者のアルファベット順に表示するようにしてもよい。ここで選択された曲名は背景音楽表示領域６２２に表示される。また、選択された曲については視聴ボタン６３３を押下することにより、その内容を視聴することができる。
【００８６】
サウンド設定終了後は、ＯＫボタン６４１を押下することにより再び図９の初期設定画面に戻る。一方、キャンセルボタン６４２が押下された場合には設定された情報は保存されず、そのままの状態で図９の初期設定画面に戻ることになる。
【００８７】
図１１は本発明の実施の形態における映像データの選択画面の一例を示す図である。この映像データ設定画面では、該当日に撮像された映像データのプレビュー画像６５２がカレンダー６５１上に表示されている。このようなカレンダー形式の表示により、ユーザは記憶を辿って自己の撮像した映像データの内容を思い出すことができる。このカレンダー６５１上でプレビュー画像６５２が選択され、ＯＫボタン６５３が押下されることにより、図９の初期設定画面に移行する。
【００８８】
但し、プレビュー表示は必ずしも図１１のようなカレンダー形式による必要はなく、リスト形式により撮像日時やファイル名等を表示して、各項目によって表示順序をソートできるようにしてもよい。
【００８９】
次に本発明の実施の形態におけるデータ編集装置の動作について図面を参照して説明する。
【００９０】
図１２は本発明の実施の形態における映像データの表示手順を示す図である。タイミング生成部２４０により先頭フレーズの開始タイミングが知らされると、映像制御部２７０は再生順序リスト保持部３５０に保持された再生順序リストから映像ファイル名を読出し（ステップＳ９０１）、その映像ファイル名に基づいて映像データベース３１０から映像データを読み出す（ステップＳ９０２）。そして、その映像データが静止画データであれば（ステップＳ９０３）、その映像データが表示される（ステップＳ９０４）。
【００９１】
ステップＳ９０３において、映像データが動画データであると判断された場合には、再生順序リストにおいてザッピング有無３５４がチェックされ（ステップＳ９０５）、その映像データについてザッピングの指示があればザッピング処理による表示が行われる（ステップＳ９２０）。
【００９２】
一方、ステップＳ９０５においてザッピングの指示がないと判断された場合には、以下の手順により動画データの表示が行われる。まず、フレーズデータ保持部３４０に保持されたフレーズデータにおける動画／静止画比率５１８が変数ｉに設定される（ステップＳ９０６）。また、変数ＭＰ（ムービーポインタ）に動画データの先頭位置が設定される（ステップＳ９０６）。そして、変数ＭＰにより指示される位置（初回は先頭）から１フレーズに相当する時間だけ動画表示が行われる（ステップＳ９１０）。その後、変数ｉから「１」が減算され、変数ＭＰには動画表示を行った１フレーズに相当する時間の位置が加算される（ステップＳ９０７）。その結果、変数ｉがゼロよりも大きな値を示していればさらにステップＳ９１０およびＳ９０７の処理を繰り返す（ステップＳ９０８）。これにより、動画／静止画比率５１８が２以上であった場合には、複数フレーズに相当する時間連続してその動画データが表示されることになる。また、変数ｉがゼロ以下を示していればこれらの処理を終了してステップＳ９０９に進む（ステップＳ９０８）。
【００９３】
これらの表示がされた後、さらに次の映像データが再生順序リストに残っていれば、タイミング生成部２４０により知らされるフレーズの終了タイミングに合わせて、再びステップＳ９０１からの処理が繰り返される（ステップＳ９０９）。
【００９４】
図１３は本発明の実施の形態における動画データの表示手順を示す図である。この図１３の手順は、図１２における動画表示処理（ステップＳ９１０）の具体的手順を示すものである。動画データの全体の長さが対応フレーズの長さ以上である場合には（ステップＳ９１１）、そのフレーズの終了タイミングに至るまで動画データが表示される（ステップＳ９１２）。
【００９５】
一方、ステップＳ９１１において動画データの全体の長さが対応フレーズの長さよりも短いと判断された場合には、動画データが最後まで表示された後に（ステップＳ９１３）、そのフレーズの終了タイミングに至るまでその動画データの最後のカットが表示される（ステップＳ９１４）。この最後のカットとしては、例えば、ＭＰＥＧ−２による圧縮画像であれば、最後のＩピクチャを利用することができる。
【００９６】
図１４は本発明の実施の形態におけるザッピング処理による表示手順を示す図である。この図１４の手順は、図１２におけるザッピング表示処理（ステップＳ９２０）の具体的手順を示すものである。なお、ここでは図８により説明した具体的な値を使用することとする。
【００９７】
まず、変数ＭＰに動画データの先頭位置が設定され、変数ＭＬに動画データの時間的長さが設定される（ステップＳ９２１）。なお、ここでは変数ＭＬに設定される値は秒を単位とするものとする。そして、変数ＭＰにより指示される位置（初回は先頭）から１フレーズに相当する時間だけ動画表示が行われる（ステップＳ９２２）。
【００９８】
その後、変数ＭＬから「６０」が減算され（ステップＳ９２３）、この変数ＭＬの値が３０以下となった場合にはこのザッピング処理を終了する（ステップＳ９２４）。一方、変数ＭＬの値が３０よりも大きい場合には、変数ＭＰに「６０」が加算された後に（ステップＳ９２５）、再びステップＳ９２２からの処理が繰り返される。これにより、６０秒毎の分割シーンの先頭部分が図８のように順次表示されることになる。
【００９９】
このように、本発明の実施の形態によれば、映像データと組み合わせるべき音楽データの特徴をフレーズデータとしてフレーズデータ保持部３４０に保持しておいて、このフレーズデータに従ってタイミング生成部２４０が映像制御部２７０および同期処理部２５０にタイミングを供給することにより、音楽データの特徴に合わせた映像データの切り替えを行うことができる。また、ルバートな曲については、各フレーズ長を曲の先頭からの経過時刻によって定義することにより、万一、曲の途中でタイミングにずれを生じた場合であっても、そのずれを速やかに修正することができる。
【０１００】
なお、本発明の実施の形態では、図１０のサウンド設定画面においてユーザが選曲入力を行うようにしているが、この選曲をデータ編集装置において自動的に行うようにしてもよい。例えば、動画のザッピング処理を行う際に、図８に示した要領により対応するフレーズ数を算出しておき、そのフレーズ数に近いフレーズを有する音楽データを選択もしくは推薦することが考えられる。音楽データにおけるフレーズ数は、フレーズデータから容易に算出可能である。曲のタイプ５１７が「スタティック」であれば、平均テンポ５１４と全長５１６との乗算結果を、最高速５２１乃至最低速５２５に規定された拍数で割ることにより、フレーズ数を求めることができる。また、曲のタイプ５１７が「ルバート」であれば、フレーズ数５３１にフレーズが明示される。
【０１０１】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０２】
すなわち、請求項１において、映像データベースは例えば映像データベース３１０に対応する。また、再生順序リスト保持手段は例えば再生順序リスト保持部３５０に対応する。また、フレーズデータ保持手段は例えばフレーズデータ保持部３４０に対応する。また、タイミング生成手段は例えばタイミング生成部２４０に対応する。また、映像制御手段は例えば映像制御部２７０に対応する。
【０１０３】
また、請求項９において、効果設定データ保持手段は例えば効果設定データ保持部３６０に対応する。また、映像処理手段は例えば映像処理部２８０に対応する。
【０１０４】
また、請求項１２において、映像データベースは例えば映像データベース３１０に対応する。また、再生順序リスト保持手段は例えば再生順序リスト保持部３５０に対応する。また、音楽データ保持手段は例えば音楽データ保持部３３０に対応する。また、フレーズデータ保持手段は例えばフレーズデータ保持部３４０に対応する。また、タイミング生成手段は例えばタイミング生成部２４０に対応する。また、映像制御手段は例えば映像制御部２７０に対応する。また、同期処理手段は例えば同期処理部２５０に対応する。
【０１０５】
また、請求項１３において、音楽データベースは例えば音楽データベース３２０に対応する。また、曲調表示手段は例えば曲調表示部２１０に対応する。また、選曲受付手段は例えば選曲受付部２２０に対応する。また、選曲手段は例えば選曲部２３０に対応する。
【０１０６】
また、請求項１４または１６において、再生順序リストから次の映像データを特定する手順は例えばステップＳ９０１に対応する。また、特定された映像データを映像データベースから読み出す手順は例えばステップＳ９０２に対応する。また、フレーズデータに基づいて所定のフレーズの区切りのタイミングまで映像データを出力する手順は例えばステップＳ９０４、Ｓ９１０またはＳ９２０に対応する。
【０１０７】
また、請求項１５または１７において、再生順序リストから次の映像データを特定する手順は例えばステップＳ９０１に対応する。また、特定された映像データを映像データベースから読み出す手順は例えばステップＳ９０２に対応する。また、映像データの所定間隔毎に分割された各分割シーンをフレーズデータに基づいて所定のフレーズの区切りのタイミング毎に切り替えながら出力する手順は例えばステップＳ９２２乃至Ｓ９２５に対応する。
【０１０８】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０１０９】
本発明の活用例として、例えばデジタルカメラや携帯機器等によって撮像された静止画や動画を、音楽に合わせて順次表示するように編集する際に本発明を適用することができる。
【図面の簡単な説明】
【０１１０】
【図１】本発明の実施の形態におけるデータ編集装置の機能構成の一例を示す図である。
【図２】本発明の実施の形態における再生順序リスト保持部３５０に保持される再生順序リストの構成例を示す図である。
【図３】本発明の実施の形態における音楽データおよび映像データの再生タイミングを示す図である。
【図４】本発明の実施の形態におけるフレーズデータ保持部３４０に保持されるフレーズデータの構成例を示す図である。
【図５】本発明の実施の形態におけるフレーズデータ内のタイプ別属性５１９の構成例を示す図である。
【図６】本発明の実施の形態におけるフレーズデータのＸＭＬによる記述例を示す図である。
【図７】本発明の実施の形態におけるデータ編集装置の一実現例としての携帯機器１００の構成を示す図である。
【図８】本発明の実施の形態におけるザッピング処理による再生イメージを示す図である。
【図９】本発明の実施の形態におけるデータ編集の初期設定画面の一例を示す図である。
【図１０】本発明の実施の形態におけるサウンド設定のための設定画面の一例を示す図である。
【図１１】本発明の実施の形態における映像データの選択画面の一例を示す図である。
【図１２】本発明の実施の形態における映像データの表示手順を示す図である。
【図１３】本発明の実施の形態における動画データの表示手順を示す図である。
【図１４】本発明の実施の形態におけるザッピング処理による表示手順を示す図である。
【符号の説明】
【０１１１】
１０  カメラ部
１１  光学ブロック
１２  カメラ制御部
１３  信号変換器
１４  撮像信号処理部
１５  音声入力部
１６  音声信号処理部
２０  記録再生処理部
２１  符号化／復号回路
２３  記録媒体インターフェース
２５  バッファメモリ
３０  制御部
３１  処理装置
３２  システムバス
３３  ＲＯＭ
３４  ＲＡＭ
３５  操作入力インターフェース
３６  表示制御部
３７  音声出力インターフェース
３９  計時回路
４１  操作入力部
４２  表示部
４３  音声出力部
４９  記録媒体
１００  携帯機器
２１０  曲調表示部
２２０  選曲受付部
２３０  選曲部
２４０  タイミング生成部
２５０  同期処理部
２６０  音楽出力部
２７０  映像制御部
２８０  映像処理部
２９０  映像出力部
３１０  映像データベース
３２０  音楽データベース
３３０  音楽データ保持部
３４０  フレーズデータ保持部
３５０  再生順序リスト保持部
３６０  効果設定データ保持部
【図１】
2005175630.tif 000003
【図２】
2005175630.tif 000004
【図３】
2005175630.tif 000005
【図４】
2005175630.tif 000006
【図５】
2005175630.tif 000007
【図６】
2005175630.tif 000008
【図７】
2005175630.tif 000009
【図８】
2005175630.tif 000010
【図９】
2005175630.tif 000011
【図１０】
2005175630.tif 000012
【図１１】
2005175630.tif 000013
【図１２】
2005175630.tif 000014
【図１３】
2005175630.tif 000015
【図１４】
2005175630.tif 000016